(57)【要約】      （修正有）【課題】ベルト端部の縫着・熱収縮チューブの加工性が向上し、又、リベットを外せばフックの取替えが可能となるベルト状命綱の端末部用シンブルを提供する。【解決手段】内部に貫通する丸穴１２と、該丸穴１２に結合する凹部１３を設けた鍵穴状の穴を設けた略カム形状の内筒１１と、該内筒１１の外側に開放部１４を設けた外壁１５を設け、内筒１１と外壁１５間にベルト嵌入部１６を設けた雌部材１と、前記凹部１３に対応する凸部２３を設けた貫通する丸穴１２に嵌入する内筒２１と、該内筒２１の外側に開放部２４を設けた外壁２５を設け、内筒２１と外壁２５間にベルト嵌入部２６を設けた雄部材２とから成る構造の樹脂製シンブルである。【選択図】図１
0003146170.tif 000002
【実用新案登録請求の範囲】
【請求項１】
内部に貫通する丸穴12と、該丸穴12に結合する凹部13を設けた鍵穴状の穴を設けた略カム形状の内筒11と、該内筒11の外側に開口部14を設けた外壁15を設け、内筒11と外壁15間にベルト嵌入部16を設けた雌部材1と、
前記凹部13に対応する凸部23を設けた貫通する丸穴12に嵌入する内筒21と、該内筒21の外側に開口部24を設けた外壁25を設け、内筒21と外壁25間にベルト嵌入部26を設けた雄部材２とから成ることを特徴とするベルト状命綱の端末部用シンブル。
【考案の詳細な説明】
【技術分野】
【０００１】
本願は、高所作業者が墜落防止のため、身体に装着する安全帯に設けられた命綱先端に連結されるフックとの摩耗防止シンブルに関するものである。
【背景技術】
【０００２】
以前より、墜落防止のために安全帯を装着して、高所作業を行っており、その安全帯には、三つ打ちロープ・八つ打ちロープ又、細幅織りのベルトを巻取機に巻き取る方式の命綱が連結されており、命綱先端部に設けられた係止フックを構造物に係止し、高所よりの墜落を防止している。
【０００３】
図７、８のように、従来のベルト状命綱の端末部は、袋織ベルト７を挿入して、フックＨとの摩耗防止を図っている。
しかしながら、組立上フックＨの連結穴にベルト先端部を挿通してから折り返し部分を縫着するので、縫着時フックが邪魔になって作業性の悪いものであった。
また、縫着部分には、熱収縮チューブ５を被せて、縫着部の縫糸の保護を行っており、この熱収縮作業時にもフックＨが邪魔で作業性の悪いものであった。
さらに、ベルト状命綱Ｂと袋織ベルト７の段差が大きく熱収縮チューブ５によって、保護しても凸凹した形状となり、見栄えの悪いものであった。また、その凸凹部が構造物等に当たって熱収縮チューブ５が破損することもあった。
【０００４】
従来のものとしては、意匠登録第１１１１０５５号のものがある。
これは、安全帯命綱の端末部に挿通する合成樹脂製のベルトの保護シンブルであり、組立上フックの連結穴に保護シンブルを挿通してから折り返し部分を縫着するもので、従来のものと同じく、加工時にフックが付いており作業性の悪いものである。
【特許文献１】意匠登録第１１１１０５５号
【考案の開示】
【考案が解決しようとする課題】
【０００５】
本願は、墜落防止用安全帯のベルト状命綱の端部処理を簡単に行うことを目的に発明されたものである。
【課題を解決するための手段】
【０００６】
本願は、樹脂製シンブルを雌部材１・雄部材２の２分割とし、命綱の端部縫製加工を行った後、端部輪状部に嵌合するものである。
具体的には、内部に貫通穴と、該穴に結合する凹部を設けた鍵穴状の穴を設けた略カム形状の内筒と、該内筒の外側に開放部を設けた外壁を設け、内筒と外壁間にベルト嵌入部を設けた雌部材と、
前記凹部に対応する凸部を設けた貫通穴に嵌入する内筒と、該内筒の外側に開放部を設けた外壁を設け、内筒と外壁間にベルト嵌入部を設けた雄部材とから成る構造のものである。
【考案の効果】
【０００７】
以上のように、ベルト状命綱の端末部に、分割した樹脂製シンブルを後組みすることによって、ベルト端部の縫着・熱収縮チューブの加工性が格段に向上すると共に、フックの在庫が無くても命綱の加工ができる。
また、組み上がっているものでも、リベットを外せばフックの取替えが可能であり、フックの異なる型番にも注文数に素早く対応することができ、在庫管理もし易くなった。
【実施例】
【０００８】
本願の実施例を詳記すると、
図に示すように、内部に貫通する丸穴12と、該丸穴12に結合する凹部13を設けた鍵穴状の穴を設けた略カム形状の内筒11と、該内筒11の外側に開放部14を設けた外壁15を設け、内筒11と外壁15間にベルト嵌入部16を設けた雌部材1と、
前記凹部13に対応する凸部23を設けた貫通する丸穴12に嵌入する内筒21と、該内筒21の外側に開放部24を設けた外壁25を設け、内筒21と外壁25間にベルト嵌入部26を設けた雄部材２とから成る構造を有している。
【０００９】
雌部材１は、略カム状の内筒11には、貫通する丸穴12と、該丸穴12に突出する凹部13を設けて鍵穴状とした穴を途中まで設け、該内筒11の外側に、開放部14を設けた外壁15を設け、該内筒11と外壁15の間にベルト嵌入部16を設けたものである。
【００１０】
雄部材２は、前記雌部材１の丸穴12に嵌合する内筒21と凹部13に嵌合する凸部23を途中まで設け、該内筒21の外側に、開放部24を設けた外壁25を設け、該内筒21と外壁25の間にベルト嵌入部26を設けたものである。
【００１１】
本願のベルト状命綱の端末部用シンブルは、ベルト状命綱Ｂの端末部を折返して重合部を縫製し、その縫製糸を熱収縮チューブ５で保護している。
図４、５のように、ベルト状命綱Ｂの加工終了後に、雌部材１・雄部材２により折返し輪状部に、嵌合し、Ｕ環３とリベット４によりフックＨを取付けることができるものである。
【００１２】
図６は、本願のベルト状命綱の端末部用シンブルの他の実施例を示すもので、側壁部に凸部を設けないもので、Ｕ環３が回動するタイプであり、組立性・加工性も同等の効果がある。
【図面の簡単な説明】
【００１３】
【図１】本願ベルト状命綱の端末部用シンブルの分解斜視図。
【図２】本願ベルト状命綱の端末部用シンブルの雄部材斜視図。
【図３】本願ベルト状命綱の端末部用シンブルの合体時断面図。
【図４】本願ベルト状命綱の端末部用シンブルの組み付け斜視図。
【図５】本願ベルト状命綱の端末部用シンブルにフックを連結したところの斜視図。
【図６】本願ベルト状命綱の端末部用シンブルの他の実施例を示す斜視図。
【図７】従来のベルト状命綱の端末部の斜視図（１）。
【図８】従来のベルト状命綱の端末部の斜視図（２）。
【符号の説明】
【００１４】
１  雌部材
11  内筒
12  丸穴
13  凹部
14  開放部
15  外壁部
16  ベルト嵌入部
２  雄部材
21  内筒
22  丸穴
23  凸部
24  開放部
25  外壁部
26  ベルト嵌入部
３  Ｕ環
４  リベット
５  熱収縮チューブ
６  縫糸
７  袋織ベルト
Ｂ  ベルト状命綱
Ｈ  フック
【図１】
0003146170.tif 000003
【図２】
0003146170.tif 000004
【図３】
0003146170.tif 000005
【図４】
0003146170.tif 000006
【図５】
0003146170.tif 000007
【図６】
0003146170.tif 000008
【図７】
0003146170.tif 000009
【図８】
0003146170.tif 000010